(57)【特許請求の範囲】
【請求項１】
釣竿本体と、釣竿本体の基端部に設けられたグリップとを備えた釣竿であって、
グリップは、弾性部材を介して上記基端部に外嵌されており、
上記グリップは、上記基端部が挿入される収容部を備えた筒状に形成されており、
上記弾性部材は、上記収容部内に配設され、上記基端部が嵌入可能な筒状に形成されており、
上記弾性部材は、上記収容部内で上記基端部の嵌入方向に沿って配設されており、
上記基端部の外周面と上記収容部の内周面との間に、上記弾性部材が位置しており、
上記基端部が、上記収容部に直接に接することなく上記弾性部材によって支持されていることを特徴とする釣竿。
【請求項２】
請求項１記載の釣竿において、
上記弾性部材は、上記収容部内で上記基端部の嵌入方向に沿って複数配設されていることを特徴とする釣竿。
【請求項３】
請求項２記載の釣竿において、
上記弾性部材は、それぞれ弾性係数の異なる材料により構成されていることを特徴とする釣竿。
【請求項４】
請求項１ないし３のいずれかに記載の釣竿において、
上記グリップは、釣竿本体に対して着脱自在に設けられていることを特徴とする釣竿。
【発明の詳細な説明】
【０００１】
【発明の属する技術の分野】
この発明は、釣竿の構造に関するものである。
【０００２】
【従来の技術および発明が解決しようとする課題】
釣竿を評価する要素に「調子」と呼ばれるものがある。この調子とは、弾性体である釣竿に負荷がかかったときの「曲がり具合」ないし「変形態様」をいい、釣竿の強度（たとえば機械的破壊強度）や弾性（たとえば魚が掛かったときの変形量）と関連はするものの、本質的にこれらの要素とは別個の要素である。すなわち、釣竿には、変形量が大きくても機械的破壊強度の高い釣竿（折れない釣竿）や変形量が小さいにも関わらず機械的破壊強度の低い釣竿（折れやすい釣竿）が存在するが、釣竿の調子とは、そのような機械的な強度を問題とするのではなく、釣竿の変形のしかたを評価するものである。言い換えると、釣竿の調子は、製品としての釣竿の特性に対する設計者のいわゆる「味付け」としての性格を有し、その善し悪しの判断は、釣人の主観により大きな影響を受けるものである。
【０００３】
ところで、釣竿の調子には、一般的に「調子」と呼ばれるもののほか、「振り込み調子」と呼ばれるものがある。なお、本明細書では両者を明確に区別するために、一般的に「調子」と呼ばれる釣竿の調子を特に「一般調子」と定義することとする。
【０００４】
この場合の「一般調子」とは、たとえば掛けた魚を引き寄せる場合等、比較的大荷重が釣糸を介して竿先から加わる場合の釣竿の曲がり具合を評価するものであり、他方「振り込み調子」とは、たとえば仕掛けを投入する場合等、比較的小荷重が釣人の手元から釣竿に加える場合の当該釣竿の曲がり具合を評価するものである。そして、この振り込み調子とは、具体的には、釣人による仕掛けの投入動作に対して釣竿が如何に遅れて追従動作をするかという特性であり、釣人の主観（好み）によって特にその評価が分かれるものである。しかし、釣竿の振り込み調子は、当該釣人にとっては、仕掛けを狙ったポイントに正確に投入できるかどうかという釣竿の基本性能に関わるものであることにかわりはない。
【０００５】
一般に釣竿は、釣竿本体と、釣竿本体の端部に固定され、釣人が把持するグリップとを備えている。このような構造であるから、釣竿の一般調子と振り込み調子とは相関関係があり、双方相反する調子を同時に実現することはきわめて困難であった。
【０００６】
釣竿の調子は、釣竿本体を構成する材料のほか、外径、テーパの大小等を設計することによって創られる。このため、従来の釣竿では、一旦設計製造された釣竿の調子は当該釣竿固有のものであって、釣人が釣竿の調子を変化させることは不可能であった。そのため、市販されている釣竿には、その一般調子はともかくとして、その振り込み調子のみが釣人の好みに適合しない場合も多く、釣人は、一般調子および振り込み調子ともにベストマッチの釣竿を手に入れるために他の釣竿を探して購入するか、そのような釣竿の要求を諦めるしかなかった。
【０００７】
そこで、本発明の目的は、調子、特に振り込み調子のみを変化させることのできる釣竿を提供することである。
【０００８】
【課題を解決するための手段】
(1)  上述のように、釣竿の振り込み調子とは、釣人による仕掛けの投入動作に対して釣竿が如何に遅れて追従動作をするかという特性であるところ、本願発明者は、この「釣人の投入動作に対する遅れ」というところに着目し、そのような「遅れ」を意図的に生じさせるためには、釣竿本体とグリップとの連結構造を従来のように強固なものとせず、もっと緩やかなものとすることによって、釣竿の一般調子を変化させることなく振り込み調子のみを変化させることができるのではないかと考えた。
【０００９】
(2)  そこで、本願に係る釣竿は、釣竿本体と、釣竿本体の基端部に設けられたグリップとを備えた釣竿であって、グリップは、弾性部材を介して上記基端部に外嵌されていることを特徴とするものである。
【００１０】
この構成によれば、グリップが弾性部材を介して釣竿本体の基端部に嵌め込まれているから、グリップと釣竿本体との連結部分が固定されておらず、グリップに対して釣竿本体が一定の範囲で撓むことができる。したがって、仕掛けを投入する際に、釣人の投入動作に対して釣竿の追従動作をより遅らせることが可能となる。一方、グリップと釣竿本体の基端部との間でのみ釣竿本体の撓みを許容する構造であるから、釣竿本体の調子に影響はない。
【００１１】
(3)  上記グリップを、上記基端部が挿入される収容部を備えた筒状に形成し、上記弾性部材を、上記収容部内に配設すると共に上記基端部が嵌入可能な筒状に形成することができる。
【００１２】
このような構成にすれば、グリップと弾性部材とを一体的に構成することが可能であり、釣竿本体の基端部にグリップを嵌め込むことによって、当該基端部が弾性部材に支持された状態となる。この場合においても、グリップと釣竿本体との連結部分が固定されておらず、グリップに対して釣竿本体が一定の範囲で撓むことができる。したがって、仕掛けを投入する際に、釣人の投入動作に対して釣竿の追従動作をより遅らせることが可能となる。一方、グリップと釣竿本体の基端部との間でのみ釣竿本体の撓みを許容する構造であるから、釣竿本体の調子に影響はない。
【００１３】
(4)  また、上記弾性部材は、上記収容部内で上記基端部の嵌入方向に沿って複数配設することができる。
【００１４】
かかる構成では、釣竿本体の基端部のうち少なくとも上記収容部に挿入されている部分の両端部を上記弾性部材により支持することができる。このように釣竿本体の基端部を支持することによって、グリップに対して釣竿本体がより広範囲に撓むことができる。したがって、仕掛けを投入する際に、釣人の投入動作に対して釣竿の追従動作をより一層遅らせることが可能となる。
【００１５】
(5)  さらに、上記弾性部材を、それぞれ弾性係数の異なる材料により構成することができる。
【００１６】
このようにすれば、弾性部材の弾性係数を変化させることによって、グリップに対する釣竿本体の撓み量を変化させることができる。したがって、仕掛けを投入する際に、釣人の投入動作に対して釣竿の追従動作の遅れの程度を所望に設定することが可能となる。
【００１７】
(6)  上記グリップを、釣竿本体に対して着脱自在に設けることもできる。
【００１８】
このようにすれば、種類の異なる弾性部材を備えた複数のグリップを予め用意しておき、これらを取り替えることによって、グリップに対する釣竿本体の撓みを調整することができる。したがって、仕掛けを投入する際に、釣人の投入動作に対して釣竿の追従動作の遅れを調整することが可能となる。
【００１９】
【発明の実施の形態】
以下、本発明の実施の形態について説明する。
【００２０】
図１は、本発明の一実施形態に係る釣竿の正面図である。
【００２１】
本実施形態では、この釣竿１０はへら竿として構成されているが、へら竿に限定されるものではなく、渓流竿のほかいわゆる本流竿等さまざまな用途の釣竿として構成することができる。
【００２２】
釣竿１０は、釣竿本体１５とグリップ１６とを備えている。釣竿本体１５は、４本の節１１〜１４からなり、第１節１１〜第４節１４が順に長手方向に継がれている。なお、釣竿本体１５をさらに多数の節により構成することもできる。
【００２３】
各節１１〜１４は、いわゆる並継形式により継がれており、第１節１１の後端部が第２節１２の先端部に挿入され、第２節１２の後端部が第３節１３の先端部に挿入されている。第３節１３と第４節１４との関係も同様である。なお、各節１１〜１４は、いわゆる振出式に継ぐ構造とすることもできるのは勿論である。
【００２４】
各節１２〜１４は、細長筒状に形成されており、たとえばカーボン繊維を巻回して筒状に形成する等、公知の要領で製造することができる。第１節１１は、中実構造に形成されているが、第１節１１も筒状に形成しても良い。なお、第１節１１の先端には、釣糸を連結するための釣糸連結部２３が形成されている。
【００２５】
図２は、図１における要部拡大図であり、グリップ部分の構造を詳細に示している。
【００２６】
グリップ１６は、第４節１４の後端部に取り付けられている。グリップ１６は、釣人が釣竿１０を使用する際に実際に把持する部分であり、グリップ本体１７と、グリップ本体１７内に設けられた弾性部材１８とを有している。
【００２７】
グリップ本体１７は、握りやすいように、その外形形状が図に示すような略紡錘形に形成されている。ただし、グリップ本体１７の外形形状は、握りやすいものであれば特に限定されるものではない。なお、グリップ本体１７の外周面に滑り止めのための処理を施すこともできる。本実施形態では、細径の糸（木綿糸等）を巻き付け、樹脂をコーティングすることによってこれを固着している。
【００２８】
グリップ本体１７は、木材、合成樹脂のほか金属等により構成することができる。グリップ本体１７は、内部がくり抜かれた筒状に形成されており、この内部の空間によって収容部１９が構成されている。この収容部１９は、上記第４節１４の基端部２０を収容するものである。すなわち、グリップ１６は、第４節１４の基端部２０に被せるようにして嵌め込まれるようになっている。
【００２９】
弾性部材１８は上記収容部１９内に嵌め込まれて固定されており、本実施形態では、収容部１９内に２つ配設されている。弾性部材１８は円筒状（長手方向寸法ａ）に形成されており、たとえばニトリルゴム、ウレタンゴム等により構成することができる。弾性部材１８を固定する方法は、たとえば接着剤により収容部１９の内面に固着させる方法を採用することができる。ただし、収容部１９の内面に弾性部材１８が係合できる係合部（たとえば周溝等）を形成し、この係合部に接着剤等を用いて弾性部材１８を固定することもできる。このように固定することによって、弾性部材１８を収容部１９内で確実に位置決めすることができる。
【００３０】
第４節１４の基端部２０は、上述したように収容部１９に挿入されるものであるが、具体的には、この弾性部材１８の内側に嵌入される。弾性部材１８の内径は、上記第４節１４の外径ｄに対応して設定されている。このため、第４節１４の基端部２０が収容部１９に挿入された状態で、当該基端部２０が２つの弾性部材１８によって囲繞され支持されることになる。
【００３１】
特に、弾性部材１８は、図に示すように、収容部１９の入口部と内底部とに配置されているから、収容部１９に挿入された上記基端部２０のうち、その先端部２１（第４節の端部）と後端部２２とが弾性部材１８によって支持されることになる。なお、弾性部材１８の端面は、上記基端部２０が挿通しやすいように、面取りがなされ、いわゆるＣ面２４が形成されている。
【００３２】
本実施形態に係る釣竿１０では、次のような作用効果を奏する。
【００３３】
グリップ１６は、弾性部材１８を介して釣竿本体１５（具体的には第４節１４）の基端部２０に嵌め込まれている。すなわち、グリップ１６は、釣竿本体１５に対して固定されていない。このため、グリップ１６を把持した状態で釣竿本体１５に負荷がかかった場合には、弾性部材１８が変形し、グリップ１６に対して釣竿本体１５が一定の範囲で撓むことができる。
【００３４】
具体的に説明すると、へら釣りの実釣において、餌を針に装着した状態で仕掛けを投入しようとする際には、釣人は、グリップ１６を把持して釣竿１０を一旦起立させ、把持したグリップ１６を中心にして釣竿本体１５およびこれに連結された仕掛け全体を緩やかに略円弧状に振りつつ当該仕掛けを所望のポイントへ振り込む。このとき、仕掛けの重量および釣竿本体１５の自重（比較的小荷重）の合力が、その反力として釣人の手元からグリップを通じて釣竿本体１５に加えられ、当該仕掛けの投入動作に際し、グリップ１６に対して釣竿本体１５が撓むことになる。
【００３５】
つまり、釣人の仕掛け投入動作に対して釣竿１０全体が追従して動作することになるのであるが、グリップ１６に対して釣竿本体１５が撓むことによって、当該追従動作をより遅らせることができる。このことはすなわち、釣竿１０の振り込み調子を変化させることである。しかも、釣竿本体１５は、従来のものと同様の構造を採用しているから、釣竿１０の一般調子は変化しない。つまり、本実施形態に係る釣竿１０では、その一般調子を変えることなく、振り込み調子のみを変化させることができ、釣人の要求に応じた調子の釣竿を提供することができる。
【００３６】
特に本実施形態では、予め弾性部材１８をグリップ本体１７の収容部１９に固定してグリップ１６のみを製造することができる。したがって、釣竿本体１５については従来と同様の要領で製造し、この基端部２０にグリップ１６を嵌め込むことによって釣竿１０を構成することができるので、釣竿１０の製造コストが大幅に上昇することがないという利点もある。
【００３７】
また、本実施形態では、第４節１４の基端部２０が弾性部材１８に嵌入されているが、弾性部材１８の内径寸法を適当に設定することによって、グリップ１６を釣竿本体１５に対して着脱自在なものとすることができる。すなわち、弾性部材１８と上記基端部２０とのはめあいを所定値に設定することにより、基端部２０を弾性部材１８に嵌入した状態で、弾性部材１８による緊迫力で基端部２０が一定の保持力で挟持される。これにより、グリップ１６が釣竿本体１５に対して着脱自在となる。
【００３８】
このようにグリップ１６を着脱自在なものとすることによって、種類の異なる弾性部材を備えた複数のグリップを予め用意しておき、これらを取り替えることによって、グリップに対する釣竿本体１５の撓みを調整することができる。したがって、釣竿１０の振り込み調子のみを釣人の所望の調子に変化させることが可能となる。
【００３９】
さらに、本実施形態では、弾性部材１８が上記収容部１９内で第４節１４の長手方向（上記基端部２０の嵌入方向）に沿って２つ配設されており、これら２つの弾性部材１８の間では、上記基端部２０が支持されていない。したがって、グリップ１６に対して釣竿本体１５がより広範囲に撓むように設計することが可能であり、これにより、上述した釣竿１０の追従動作をより一層遅らせることができる。つまり、釣竿１０の振り込み調子を設計者が容易かつ自由に設計することができるという利点がある。
【００４０】
次に、本実施形態の変形例について説明する。
【００４１】
図３は、本実施形態の変形例に係る釣竿３０の要部拡大図であり、グリップ３６部分の構造を詳細に示している。
【００４２】
この変形例では、グリップ本体１７の内部に、上記弾性部材１８と弾性部材３８とが備えられている。弾性部材３８は、弾性部材１８と同様の材料で構成され、筒状に形成されているが、その長手方向寸法は、ｂに設定されている。また、弾性部材１８ではその端面にＣ面２４が設けられていたが、弾性部材３８では、その端面３９が内側に大きくカットされている。このようにすることによって、弾性部材３８は、より変形しやすくなっている。
【００４３】
この変形例によれば、弾性部材３８をさらに備えたことにより、グリップ１６に対する釣竿本体１５の撓みを精度よく調整することが可能となり、その結果、釣竿１０が所望の追従動作をするようにきめ細かく設計することができる。
【００４４】
さらに、弾性部材１８，３８の個数はさまざまに変えることができ、これにより、グリップ１６に対する釣竿本体１５の撓みを設計者の意図するように精度よく調整することができ、所望の振り込み調子を備えた釣竿を提供することができる。もっとも、弾性部材は、図４に示すように単一のものとすることができる。このように単一の弾性部材４０しても、グリップ１６に対して釣竿本体１５が一定の範囲で撓むことができるので、釣竿１０の一般調子を変えることなく、振り込み調子のみを変化させることができる。
【００４５】
加えて、上記実施形態および変形例では、弾性部材１８，３８を同一の材料で構成しているが、これらを別々の材料、すなわち弾性係数の異なる材料で構成することもできる。このようにすれば、弾性部材１８，３８の撓みをそれぞれ変化させることができるので、グリップ１６，３６に対する釣竿本体１５の撓み量をさまざまに変化させることができる。したがって、仕掛けの投入動作に対して釣竿１０の追従動作の遅れをより一層きめ細かく調整することが可能となるので、釣竿１０の振り込み調子をきわめて高精度に設定することができる。
【００４６】
なお、上述の実施形態および変形例では、本発明が釣竿に適用された態様を説明したが、本発明に係る構造は、釣り（特に磯釣り等）の際に使用するマキエ酌の柄とグリップとの連結構造のほか、いわゆるタモ網の柄とグリップとの連結構造にも採用することができる。
【００４７】
【発明の効果】
以上のように本発明によれば、グリップに対して釣竿本体が一定の範囲で撓むことができるので、仕掛けを投入する際に、釣人の投入動作に対して釣竿の追従動作をより遅らせることができると共に、釣竿本体の一般調子には何ら影響を与えることはない。つまり、釣竿の一般調子を変えることなく、振り込み調子のみを変化させることができ、釣人の要求に応じた調子の釣竿を提供することができる。
【図面の簡単な説明】
【図１】本発明の一実施形態に係る釣竿の正面図である。
【図２】本発明の一実施形態に係る釣竿のグリップ部分の構造を詳細に示す拡大図である。
【図３】本発明の一実施形態の変形例に係る釣竿の要部拡大正面図である。
【図４】本発明の一実施形態の他の変形例に係る釣竿の要部拡大正面図である。
【符号の説明】
１０  釣竿
１４  第４節
１５  釣竿本体
１６  グリップ
１７  グリップ本体
１８  弾性部材
１９  収容部
２０  第４節の基端部
２１  基端部の先端部
２２  基端部の後端部
２４  Ｃ面
３０  釣竿
３６  グリップ
３８  弾性部材
３９  端面
４０  弾性部材
【図１】
0003892331.tif 000002
【図２】
0003892331.tif 000003
【図３】
0003892331.tif 000004
【図４】
0003892331.tif 000005